【事件の表示】
　特許第３０２２９２７号「ヘリカル走査駆動機構用カートリッジテープ装置」の請求項１ないし１８に係る特許に対する特許異議の申立てについて、次のとおり決定する。
【結　論】
　訂正を認める。
　特許第３０２２９２７号の請求項１ないし１８に係る特許を維持する。
【理　由】
１ 手続きの経緯
　本件特許第３０２２９２７号の請求項１〜１８に係る発明についての出願は、平成３年１０月２３日（パリ条約による優先権主張外国庁受理１９９０年１２月６日、米国）を国際出願日とする出願であって、平成１２年１月１４日にその発明について特許権の設定登録がなされ、その後、その特許に対して異議申立人 田村典子から特許異議の申立てがなされ、取消理由が通知され、その指定期間内である平成１３年７月２６日に訂正請求がなされた後、さらに訂正拒絶理由が通知され、その指定期間内である平成１３年１０月３０日に手続補正がなされたものである。
　　
２ 訂正の適否についての判断
　(1) 訂正請求書に対する補正の適否について
　 ア 補正の内容
　　特許権者が求めている補正の内容は、次のとおりである。(なお、下線は補正部分を示す。)
　　(ア) 補正事項(i)
　　 訂正明細書の請求項１０の「
移動
移送
　　(イ) 補正事項(ii)
　　 訂正明細書の請求項１１〜１３の「移動
する
させる
　　(ウ) 補正事項(iii)
　　 訂正請求書の「(3)訂正の要旨」の項の「訂正事項ｃ」の「移動
する
させる
　　(エ) 補正事項(iv)
　　 訂正請求書の「(3)訂正の要旨」の項の「訂正事項ｅ」(同書２頁末行〜３頁２行)を削除する。
　　(オ) 補正事項(v)
　　(カ) 補正事項(vi)
　 イ 訂正請求書の要旨の変更の有無
　　(ア) 補正事項(i)について
　　 請求項１０において補正を求めている「移送する段階」という記載は、願書に最初に添付した明細書の請求項２３(同明細書３１〜３２頁)、及び願書に添付した明細書（以下、「特許明細書」という。）の請求項１０(平成１１年９月２２日付手続補正書３頁、特許公報第４欄１６〜２８行)に記載されている事項であって、この請求項１０に係る発明の構成に欠くことができない事項である。
　　 そして、特許明細書の請求項１０において、「移送する段階」を「移動する段階」に訂正することは、訂正請求書の訂正事項に含まれておらず（訂正請求書の７.(3)の「訂正の要旨」を参照）、また訂正明細書の請求項１０に記載された「移動する段階」には、訂正による変更個所を示す下線が付されていない。
　　 これらの点を考慮すれば、この訂正明細書の請求項１０において「移送する段階」と記載すべきところ、「移動する段階」と記載しているのは、特許権者の意図に反して偶然に生じた誤記と認められる。
　　(イ) 補正事項(ii)について
　　 訂正明細書の請求項１１は、請求項９又は１０を直接又は間接的に引用して、さらにこれを減縮するものであるから、この請求項１１の「移動する段階」という記載は請求項９又は１０に存在しなければならないが、その記載はない。この請求項１１の「移動する段階」の意味、及びこの請求項１１と請求項９及び１０との対応関係等を考慮すれば、この請求項１１の「移動する段階」という記載は、請求項９の「移動させる段階」を指すものであり、単純な誤記と認められる。
　　 また、請求項１２及び１３の「移動する段階」という記載についても同様に、請求項９の「移動させる段階」を指すものであり、単純な誤記と認められる。
　　(ウ) 補正事項(iii)について
　　 この補正は、上記補正事項(ii)に係る請求項１１の補正に伴うものであるから、同様の理由により、訂正事項ｃの「移動する段階」という記載は、単純な誤記と認められる。
　　(エ) 補正事項(iv)及び(vi)について
　　 これらの補正は、「訂正事項ｅ」とこれに関連する「請求の原因」の記載を削除するものである。
　　(オ) 補正事項(v)について
　　 この補正は、上記補正事項(iii)の補正に伴って、訂正事項ｃに関連する「請求の原因」の説明について、明りょうにするものである。
　　してみれば、当該訂正請求書に対する補正は、訂正事項の削除又は誤記等の軽微な瑕疵の補正であって、訂正請求書の要旨を変更するものではないから、特許法第１２０条の４第３項において準用する平成６年法律第１１６号による改正前の特許法第１３１条第２項の規定に適合するものである。
　　
　(2) 訂正の適否について
　 ア 訂正の内容
　　特許権者が求めている訂正の内容は、次のとおりである。(なお、下線は訂正部分を示す。)
　　(ア) 訂正事項ａ
　　 特許明細書の請求項１において、「該巻取りリール手段(402)まで
通すための
通された磁気テープ(424)
通し、該磁気記録テープ(424)の真直ぐの部分が該回転ヘッド手段(416)に対面しかつ該回転ヘッド手段(416)から離間されるようにする
磁気テープ(424)の前記真直ぐの部分
　　(イ) 訂正事項ｂ
　　 特許明細書の請求項９において、「該巻取りリール(402)まで
通す
通された磁気テープ(424)
通し、該磁気記録テープ(424)の真直ぐの部分が該回転ヘッド(416)に対面しかつ該回転ヘッド(416)から離間されるようにする
磁気テープ(424)の前記真直ぐの部分
　　(ウ) 訂正事項ｃ
　　 特許明細書の請求項１１において、「前記
並進させる
移動させる
　　(エ) 訂正事項ｄ
　　 特許明細書の請求項１４において、「前記
並進させる
移動させる
　 イ 訂正の目的の適否、新規事項の追加の有無及び拡張・変更の存否
　　(ア) 訂正事項ａ及びｂについて
　　 上記訂正事項ａは、テープ通し手段(403)及びテープ巻付け手段(415,419)に関する事項について更に特定するものであり、また上記訂正事項ｂは、磁気記録テープ(424)をテープカートリッジ(401)から巻取りリール(402)まで通す段階、及び回転ヘッド(416)の回りに螺旋状に巻付くように磁気テープ(424)を移動させる段階に関する事項について更に特定するものであるから、これらの訂正事項ａ及びｂは特許請求の範囲の減縮を目的とするものである。
　　(イ) 訂正事項ｃ及びｄについて
　　 請求項１１及び１４の「並進させる段階」という記載は、この請求項１１及び１４において引用されている請求項９又は１０に存在しない。この「並進させる段階」という記載は、請求項１１及び１４と請求項９及び１０との対応関係、及びその意味を考慮すれば、請求項９に記載されている「移動させる段階」に他ならないから、上記訂正事項ｃ及びｄは誤記の訂正を目的とするものである。
　　そして、これらの訂正事項ａ〜ｄは、新規事項の追加に該当せず、また実質上特許請求の範囲を拡張又は変更するものでもない。
　 ウ むすび
　　以上のとおりであって、上記訂正は、特許法第１２０条の４第３項において準用する平成６年法律第１１６号による改正前の特許法第１２６条第１項ただし書、第２項及び第３項の規定に適合するから、当該訂正を認める。
　　
３ 特許異議の申立てについて
　(1) 本件発明
　 本件特許の請求項１〜１８に係る発明（以下、「本件発明１〜１８」という。）は、補正された訂正明細書の特許請求の範囲の請求項１〜１８に記載された事項により特定される次のとおりのものと認める。（なお、下線は訂正部分を示す。）
　 「１．着脱可能なテープカートリッジ(401)上に供給された磁気記録テープ(424)上にデータを読み書きするためのへリカル走査テープ駆動装置であって、該テープカートリッジは該テープカートリッジ(401)内に回転可能に取り付けられた単一のリ一ル(404)を内包し、かつ該テープカートリッジは該テープカートリッジ(401)から該磁気記録テープ(424)の一端部を引き出すのに用いるために該一端部に固着されたリーダブロック(311)を有し、
　 テープカートリッジを受容するための手段(400)と、
　 該テープカートリッジ(401)内に内包された該磁気記録テープ(424)の該一端部を受容するために該テープ駆動装置内に永久的に取り付けられた巻取りリール手段(402)と、
　 ヘリカル走査形式で磁気記録テープ(424)上にデータを読み書きするための回転ヘッド手段(416)と、
　 該リーダブロック(311)を把持して該磁気記録テープ(424)を予め定められた経路(423)に沿って該テープカートリッジ(401)から該巻取りリール手段(402)まで
通し、該磁気記録テープ(424)の真直ぐの部分が該回転ヘッド手段(416)に対面しかつ該回転ヘッド手段(416)から離間されるようにする
　 該回転ヘッド手段(416)の回りに螺旋状に巻付くように前記
磁気テープ(424)の前記真直ぐの部分
　 を具備する、ヘリカル走査テープ駆動装置。
　２．更に、
　 該磁気テープが該予め定められた経路(423)に沿って通されるときに該磁気テープ(424)を予め定められた位置に支持するために該受容手段(400)に隣接して配置された第１の固定ガイド手段(408)と、
　 該磁気テープが該予め定められた経路(423)に沿って通されるときに該磁気テープ(424)を予め定められた位置に支持するために該巻取りリール手段(402)に隣接して配置された第２の固定ガイド手段(411)と
　 を具備する、請求項１に記載の装置。
　３．前記テープ巻付け手段(415,419)は、第１の位置と第２の位置との間で移動可能な少くとも一つの可動ガイド手段(415,419)を具備し、該第１位置では該予め定められた経路(423)が該可動ガイド手段(415,419)と該回転ヘッド手段(416)間に位置し、該第２位置では該磁気テープ(424)が該回転ヘッド手段(416)の回りに螺旋状に巻付けられる、請求項２に記載の装置。
　４．前記テープ巻付け手段(415,419)は更に、前記テープ通し手段(403)が該磁気記録テープ(424)を該予め定められた経路(423)に沿って該テープカートリッジ(401)から該第２固定ガイド手段(411)を越えた位置まで通すのに応答して前記可動ガイド手段(415,419)を該第１位置から該第２位置に移動するように作動させるための手段(501,502)を具備する、請求項３に記載の装置。
　５．前記テープ巻付け手段(415,419)は更に、前記テープ通し手段(403)が該磁気記録テープ(424)を該予め定められた経路(423)に沿って該テープカートリッジ(401)から該巻取りリール手段(402)まで通すのに応答して前記可動ガイド手段(415,419)を該第１位置から該第２位置に移動するように作動させるための手段を具備する、請求項３に記載の装置。
　６．前記受容手段(400)、前記巻取りリール手段(402)、および前記テープ通し手段(403)はすべて、標準的なテープカートリッジ駆動部を具備する、請求項１に記載の装置。
　７．前記回転ヘッド手段(416)および前記テープ巻付け手段(415,419)は標準的なテープカセット駆動部を具備する、請求項１に記載の装置。
　８．該巻取りリール手段(402)が該受容手段(400)とほぼ同一平面上に並置されると共に、該回転ヘッド手段(416)が該受容手段(400)とほぼ同一平面上に並置される、請求項１に記載の装置。
　９．着脱可能なテープカートリッジ(401)上に供給された磁気記録テープ(424)上にデータを読み書きするためのへリカル走査テープ駆動装置であって、該テープカートリッジは該テープカートリッジ(401)内に回転可能に取り付けられた単一のリ一ル(404)を内包し、かつ該テープカートリッジは該テープカートリッジ(401)から該磁気記録テープ(424)の一端部を引き出すのに用いるために該一端部に固着されたリーダブロック(311)を有し、該テープ駆動装置は、該テープカートリッジ(401)内に内包された該磁気記録テープ(424)の該一端部を受容するために該テープ駆動装置内に永久的に取り付けられた巻取りリールと、ヘリカル走査形式で磁気記録テープ(424)上にデータを読み書きするための回転ヘッド(416)とを有する、ヘリカル走査テープ駆動装置において、該磁気記録テープ(424)を該テープカートリッジ(401)から該回転ヘッド(416)上に通す方法であって、
　 該磁気記録テープ(424)を予め定められた経路(423)に沿って該テープカートリッジ(401)から該巻取りリール(402)まで
通し、該磁気記録テープ(424)の真直ぐの部分が該回転ヘッド(416)に対面しかつ該回転ヘッド(416)から離間されるようにする
　 該回転ヘッド(416)の回りに螺旋状に巻付くように前記
磁気テープ(424)の前記真直ぐの部分
　 を含む、磁気記録テープをテープカートリッジから回転ヘッド上に通す方法。
　１０．前記テープ駆動装置は、該磁気テープが該予め定められた経路(423)に沿って通されるときに該磁気テープ(424)を予め定められた位置に支持するために該テープカートリッジ(401)に隣接して配置された第１の固定ガイド(408)と、該磁気テープが該予め定められた経路(423)に沿って通されるときに該磁気テープ(424)を予め定められた位置に支持するために該巻取りリール(402)に隣接して配置された第２の固定ガイド(411)とを有し、前記通す段階は、該磁気テープ(424)を該テープカートリッジ(401)から該第１固定ガイド(408)を横切り、かつ該第２固定ガイド(411)を横切り該巻取りリール(402)まで移送する段階を有する、請求項９に記載の方法。
　１１．前記
移動させる
　１２．前記移動させる段階は、該磁気記録テープ(424)が該予め定められた経路(423)に沿って該テープカートリッジ(401)から該第２固定ガイド(411)を越えた位置まで通されたときに開始される、請求項１１に記載の方法。
　１３．前記移動させる段階は、該磁気記録テープ(424)が該予め定められた経路(423)に沿って該テープカートリッジ(401)から該巻取りリール(402)まで通されたときに開始される、請求項１１に記載の方法。
　１４．前記テープ駆動装置は、該磁気テープが該予め定められた経路(423)に沿って通されるときに該磁気テープ(424)を予め定められた位置に支持するために該テープカートリッジ(401)に隣接して配置された第１の固定ガイド(408)と、該磁気テープが該予め定めらされた経路(423)に沿って通されるときに該磁気テープ(424)を予め定められた位置に支持するために該巻取りリール(402)に隣接して配置された第２の固定ガイド(411)とを有し、前記
移動させる
　１５．前記移動させる段階は、該磁気記録テープ(424)が該予め定められた経路(423)に沿って該テープカートリッジ(401)から該第２固定ガイド(411)を越えた位置まで通されたときに開始される、請求項１４に記載の方法。
　１６．前記移動させる段階は、該磁気記録テープ(424)が該予め定められた経路(423)に沿って該テープカートリッジ(401)から該巻取りリール(402)まで通されたときに開始される、請求項１４に記載の方法。
　１７．前記通す段階は、
　 該磁気テープ(424)上の該リーダブロック(311)を把持する段階と、
　 該テープ通し経路(423)に沿って該リーダブロック(311)を移送する段階と、
　 該リーダブロック(311)を該巻取りリール(402)内に挿入する段階と
　 を有する、請求項９に記載の方法。
　１８．該巻取りリールが該テープカートリッジ(401)とほぼ同一平面上に並置されると共に、該回転ヘッド(416)が該巻取りリール(402)とほぼ同一平面上に並置される、請求項９に記載の方法。」
　　
　(2) 異議申立ての理由についての判断
　 ア 申立ての理由の概要
　　特許異議申立人の主張する異議申立ての理由は、大要次のとおりである。
　　本件特許の請求項１〜１８に係る発明は、次の甲第１〜４号証に記載された発明に基づいて当業者が容易に発明をすることができたものであるから、特許法第２９条第２項の規定より特許を受けることができないものである。
　　甲第１号証　特開昭６２−１８４６５３号公報
　　甲第２号証　特公昭６０−４２５３９号公報
　　甲第３号証　日本放送協会編「放送技術双書５ ＶＴＲ技術」、日本放送出版協会、（昭60-11-20）ｐ.190-191
　　甲第４号証　特開昭５８−２６３５５号公報
　 イ 甲号証に記載された発明
　  (ア) 甲第１号証（特開昭６２−１８４６５３号公報）
　　 上記甲第１号証には、回転磁気ヘッドを備えたヘッドドラムを有する「テープレコーダー」について、以下の発明が記載されている。（なお、〔 〕内には本件発明１の対応する用語を示した。）
　　 「着脱可能なテープカセット(1)〔テープカートリッジ(401)〕に貯蔵された磁気テープ(18)〔磁気記録テープ(424)〕上にデータを読み書きするためのテープレコーダー(20)〔へリカル走査テープ駆動装置〕であって、該テープカセット(1)は該テープカセット内に回転可能に取り付けられた単一の供給側のテープリール(12)〔リ一ル(404)〕を内包し、かつ該テープカセット(1)は該テープカセットから該磁気テープ(18)の一端部を引き出すのに用いるために該一端部に固着された係止ピン(19)〔リーダブロック(311)〕を有し、
　　 テープカセット(1)を装着するためのカセット装着部(48)〔受容するための手段(400)〕と、
　　 該テープカセット(1)内に内包された該磁気テープ(18)の該一端部を受容するために該テープレコーダー内に永久的に取り付けられた巻取側のテープリール(39)〔巻取りリール手段(402)〕と、
　　 ヘリカル走査形式で磁気テープ(18)上にデータを読み書きするためのヘッドドラム(64)〔回転ヘッド手段(416)〕と、
　　 を具備するテープレコーダー。」
　　 さらに、上記甲第１号証には、以下の発明についても記載されている。
　　 「上記テープレコーダーにおいて、磁気テープ(18)をテープカセット(1)から引き出しながら、テープ走行経路を通るように所定の順序で巻取側のテープリール(39)まで通して、磁気テープをテープカセットからヘッドドラム上に通す方法。」
　　(イ) 甲第２号証（特公昭６０−４２５３９号公報）
　　 上記甲第２号証には、磁気テープ・カートリッジ装置において、カートリッジ中の磁気テープを読み書きデータ処理経路を経て巻取りリールまで導く「磁気テープ・スレッディング装置」について、以下の発明が記載されている。（なお、〔 〕内には本件発明１の対応する用語を示した。）
　　 「着脱可能なカートリッジ(2)〔テープカートリッジ(401)〕に貯蔵された磁気テープ(2c)〔磁気記録テープ(424)〕上にデータを読み書きするための磁気テープ・カートリッジ装置であって、該カートリッジ(2)は該カートリッジ内に回転可能に取り付けられた単一のリ一ルを内包し、かつ該カートリッジ(2)は該カートリッジから該磁気テープ(2c)の一端部を引き出すのに用いるために該一端部に固着されたリーダー・ブロック(2b)〔リーダブロック(311)〕を有し、
　　 該カートリッジ(2)が位置決めされるベース(1)と、
　　 該カートリッジ内に内包された該磁気テープ(2c)の該一端部を受容するために該磁気テープ・カートリッジ装置内に永久的に取り付けられた巻取りリール(14)〔巻取りリール手段(402)〕と、
　　 テープ走行方向に走査する形式で磁気テープ(2c)上にデータを読み書きするための読み書きヘッド(10)と、
　　 該リーダー・ブロック(2b)を把持して該磁気テープ(2c)をテープ走行経路に沿って該カートリッジ(2)から該巻取りリール(14)まで通すスレッディング装置(17,19,20,22,24)〔テープ通し手段(403)〕と、
　　 を具備する、磁気テープ・カートリッジ装置。」
　　 さらに、上記甲第２号証には、以下の発明についても記載されている。
　　 「上記磁気テープ・カートリッジ装置において、磁気テープ(2c)をテープ走行経路に沿ってカートリッジ(2)から巻取りリール(14)まで通して、磁気テープをテープカートリッジから読み書きヘッド上に通す方法。」
　　(ウ) 甲第３号証（放送技術双書５ ＶＴＲ技術）
　　 上記甲第３号証には、ＶＨＳ方式に採用されているＭローディングのローディング機構によるテープ走行系が示されており、このローディング機構は、２つのローディングテープガイドによりヘッドドラムの両側にテープを引き出してローディングするようになっていることが示されている。
　　(エ) 甲第４号証（特開昭５８−２６３５５号公報）
　　 甲第４号証には、テープ装填操作を向上させることができる「磁気テープガイド装置」について、以下の発明が記載されている。（なお、〔 〕内には本件発明１の対応する用語を示した。）
　　 「着脱可能なカートリッジ(22)〔テープカートリッジ(401)〕に貯蔵された磁気テープ(24)〔磁気記録テープ(424)〕上にデータを読み書きするための磁気記録再生装置〔へリカル走査テープ駆動装置〕であって、該カートリッジ(22)は該カートリッジ内に回転可能に取り付けられた単一の供給用のリール(23)〔リ一ル(404)〕を内包し、かつ該カートリッジ(22)は該カートリッジから該磁気テープ(24)の一端部を引き出すのに用いるために該一端部に固着されたオス形のジョイント部材(25)〔リーダブロック(311)〕を有し、
　　 該カートリッジ(22)を装着するためのカートリッジステージ(2)〔受容するための手段(400)〕と、
　　 該カートリッジ(22)内に内包された該磁気テープ(24)の該一端部を受容するために該磁気記録再生装置内に永久的に取り付けられた巻取用のリール(21)〔巻取りリール手段(402)〕と、
　　 ヘリカル走査形式で磁気テープ(24)上にデータを読み書きするための回転ヘッド(15)〔回転ヘッド手段(416)〕と、
　　 該オス形のジョイント部材(25)を把持して該磁気テープ(24)をテープ走行路に沿って該カートリッジ(22)から該巻取用のリール(21)まで通すリーディングテープ(26)と、
　　 該回転ヘッド(15)の回りに３６０度弱確実に巻付けるように該磁気テープ(24)に括付力を付与するための磁気テープガイド手段(28)と
　　 を具備する、磁気記録再生装置。」
　　 さらに、上記甲第４号証には、以下の発明についても記載されている。
　　 「上記磁気記録再生装置において、磁気テープ(24)をカートリッジ(22)から回転ヘッド(15)上に通す方法であって、
　　 該磁気テープ(24)をテープ走行路に沿って該カートリッジ(22)から巻取用のリール(21)まで通す段階と、
　　 該回転ヘッド(15)の回りに３６０度弱確実に巻付けるように該磁気テープ(24)に括付力を付与する段階と
　　 を含む、磁気テープをカートリッジから回転ヘッド上に通す方法。」
　 ウ 対比・判断
　　(ア) 本件発明１について
　　 本件発明１と甲第１〜４号証に記載された発明とを比較すると、前記甲第１〜４号証に記載されたそれぞれの発明は、本件発明１の構成に欠くことができない事項である以下の構成を備えていない。
　　 「着脱可能なテープカートリッジ(401)上に供給された磁気記録テープ(424)上にデータを読み書きするためのへリカル走査テープ駆動装置であって、
　　 リーダブロック(311)を把持して該磁気記録テープ(424)を予め定められた経路(423)に沿って該テープカートリッジ(401)から巻取りリール手段(402)まで通し、該磁気記録テープ(424)の真直ぐの部分が回転ヘッド手段(416)に対面しかつ該回転ヘッド手段(416)から離間されるようにするテープ通し手段(403)と、
　　 該回転ヘッド手段(416)の回りに螺旋状に巻付くように前記磁気テープ(424)の前記真直ぐの部分を該予め定められた経路(423)から移動させるためのテープ巻付け手段(415,419)とを具備すること。」
　　 そして、本件発明１は、上記構成を備えることにより、「複雑なテープ通し経路の必要性が回避されると共に、データ処理工業規格3480型テープカートリッジに適合可能なコンピュータシステムがデータ記録密度のより高いヘリカル走査テープ駆動機構において使用されることができる。」という特許明細書に記載された特有の作用・効果を奏するものであるから、甲第１〜４号証に記載された発明に基づいて当業者が容易に発明をすることができたものであるとは云えない。
　　(イ) 本件発明２〜８について
　　 本件発明２〜８は、直接又は間接的に本件発明１を引用するものであるから、上記本件発明１と同様に、甲第１〜４号証に記載された発明に基づいて当業者が容易に発明をすることができたものであるとは云えない。
　　(ウ) 本件発明９について
　　 本件発明９と甲第１〜４号証に記載された発明とを比較すると、前記甲第１〜４号証に記載されたそれぞれの発明は、本件発明９の構成に欠くことができない事項である以下の構成を備えていない。
　　 「着脱可能なテープカートリッジ(401)上に供給された磁気記録テープ(424)上にデータを読み書きするためのへリカル走査テープ駆動装置において、
　　 該磁気記録テープ(424)を該テープカートリッジ(401)から回転ヘッド(416)上に通す方法であって、
　　 該磁気記録テープ(424)を予め定められた経路(423)に沿って該テープカートリッジ(401)から巻取りリール(402)まで通し、該磁気記録テープ(424)の真直ぐの部分が該回転ヘッド(416)に対面しかつ該回転ヘッド(416)から離間されるようにする段階と、
　　 該回転ヘッド(416)の回りに螺旋状に巻付くように前記磁気テープ(424)の前記真直ぐの部分を該予め定められた経路(423)から移動させる段階とを含むこと。」
　　 そして、本件発明９は、上記構成を備えるとにより、上記本件発明１と同様の作用・効果を奏するものであるから、甲第１〜４号証に記載された発明に基づいて当業者が容易に発明をすることができたものであるとは云えない。
　　(エ) 本件発明１０〜１８について
　　 本件発明１０〜１８は、直接又は間接的に本件発明９を引用するものであるから、上記本件発明９と同様に、甲第１〜４号証に記載された発明に基づいて当業者が容易に発明をすることができたものであるとは云えない。
　　
　(3)取消理由について
　 ア 取消理由の概要
　　当審において通知した取消理由は、大要次のとおりである。
　　(ア) 理 由 Ｉ
　　 本件特許の請求項１〜１８に係る発明は、次の刊行物に記載された発明と同一であるか、又はこの発明に基づいて当業者が容易に発明をすることができたものであるから、特許法第２９条第１項第３号又は同条第２項の規定により特許を受けることができないものである。
　　 刊行物　特開昭５８−２６３５５号公報（上記甲第４号証に同じ）
　　(イ) 理 由 II
　　 本件発明１１及び１４については、明細書の記載が不備のため特許法第３６条第５項の規定により特許を受けることができないものである。
　 イ 取消理由についての判断
　　(ア) 理由Ｉについて
　　 上記刊行物は甲第４号証と同じものであって、上記３(2)イ(エ)に記載したとおりの発明が記載されているものであるから、本件発明１〜１８は、上記３(2)ウと同じ理由により、この刊行物に記載された発明と同一であると云えないばかりでなく、この発明に基づいて当業者が容易に発明をすることができたものであるとも云えない。
　　(イ) 理由IIについて
　　 本件発明１１及び１４における「前記並進させる段階は、」という記載は、上記訂正請求によって「前記移動させる段階は、」に訂正されたので、これらの発明についての記載不備は解消された。
　　
　(4) むすび
　 以上のとおりであるから、異議申立ての理由、取消理由及び証拠によっては、本件発明１〜１８についての特許を取り消すことはできない。
　また、他に本件発明１〜１８についての特許を取り消すべき理由を発見しない。
　よって、結論のとおり決定する。
【異議決定日】
平成１３年１１月１３日（２００１．１１．１３）
【訂正の要旨】
　訂正の要旨
１．特許請求の範囲の請求項１において
　「該巻取りリール手段（４０２）まで通すためのテープ通し手段（４０３）と」（特許公報第２欄３〜４行）とあるを、特許請求の範囲の減縮を目的として、「該巻取りリール手段（４０２）まで
通し、該磁気記録テープ（４２４）の真直ぐの部分が該回転ヘッド手段（４１６）に対面しかつ該回転ヘッド手段（４１６）から離間されるようにする
　「螺旋状に巻付くように前記通された磁気テープ（４２４）を該予め定められた経路（４２３）から」（特許公報第２欄７〜９行）とあるを、特許請求の範囲の減縮を目的として、「螺旋状に巻付くように前記
磁気テープ（４２４）の前記真直ぐの部分
２．特許請求の範囲の請求項９において
　「該巻取りリール（４０２）まで通す段階と」（特許公報第４欄９〜１０行）とあるを、特許請求の範囲の減縮を目的として、「該巻取りリール（４０２）まで
通し、該磁気記録テープ（４２４）の真直ぐの部分が該回転ヘッド（４１６）に対面しかつ該回転ヘッド（４１６）から離間されるようにする
　「螺旋状に巻付くように前記通された磁気テープ（４２４）を該予め定められた経路（４２３）から」（特許公報第４欄１１〜１３行）とあるを、特許請求の範囲の減縮を目的として、「螺旋状に巻付くように前記
磁気テープ（４２４）の前記真直ぐの部分
３．特許請求の範囲の請求項１１及び１４において
　「前記並進させる段階は」（特許公報第４欄２９行及び第５欄３行）とあるを、誤記の訂正を目的として、「前記
移動させる
（５４）【発明の名称】
ヘリカル走査駆動機構用カートリッジテープ装置
【発明の詳細な説明】
発明の分野
　本発明は、ヘリカル走査テープ駆動機構に関し、特に、テープカセット用ヘリカル走査テープ駆動機構をテープカートリッジの使用に適合させる装置に関する。
問題点
　工業規格による媒体の形式に関する制約の範囲内で作動しつつ最も効率よくデータを記録媒体に記憶させることが、データ処理装置分野の課題である。市販のヘリカル走査ビデオテープ駆動機構は、非常にデータ密度の高い磁気テープデータ記憶サブシステムの基盤となることができる。ヘリカル走査テープ駆動機構の構造は、４ｍｍ、８ｍｍ又は１／２インチの磁気テープフォーマットを使用する修正されたヘリカル走査テープ駆動機構の形でコンピュータシステムのデータ記憶装置に既に適用されている。だが残念なことに、これら全てのヘリカル走査テープ駆動機構は、既存の手動式または自動式のデータ処理用媒体取扱い装置には適合しないカセットタイプの媒体用に構成されており、ビデオテープカセット媒体の場合には商業的なデータ処理環境の過酷さに機械的にあまり適していない。更に、典型的なヘリカル走査テープカセットは繰出しリールと巻取りリールとを備え、各テープカセット内に空の巻取りリールが設けられるので、空間の効率的な利用ができない。
　データ処理工業規格３４８０型の磁気テープカートリッジは、耐久性と、操作上の適合性と、一本のリールの容積効率とについての利点をもたらすが、既存のヘリカル走査テープ駆動機構には機械的に適合しない。３４８０型テープカートリッジは、テープの一端部に取り付けられたリーダブロックを有する単一リール式のテープカートリッジである。テープ駆動機構は予め形成されたテープ経路上を巻取りリールまで磁気テープのリーダブロック端を通す。このテープ経路は、テープを案内するための複数個の軸受と、読み取り／書き込みヘッド組体とを具備する。巻取りリールはリーダブロックを受容するためのスリットを具備し、かつ巻取りリールは協働する駆動機構に連結される。この駆動機構は、巻取りリールとテープカートリッジ間でテープを移送する。
　複雑なテープ通し経路をたどるために関節付きのテープ通しアームが設けられ、このアームの経路はカム軌道によって定められる。カム軌道は、テープカートリッジの開口を通して露出されている磁気テープのリーダブロックと係合するように縦方向カム部材を位置させるための開始位置を有する。テープ通しアームは、一端で縦方向カム部材に連結され、他端でサーボ制御駆動モータに連結される。駆動モータは、縦方向カム部材がリーダブロックと係合するカム軌道の端部から巻取りリール内のスリットまで縦方向カム部材を移送するようにテープ通しアームを作動させ、縦方向カム部材がこの経路を縦走するにつれて磁気テープをテープ通し経路に通す。このテープ通し経路が複雑であるために、サーボ機構は、テープがテープカートリッジから引き出されかつ巻取りリールへ移送されつつあるときに一定の速度でテープを引っ張ると共にテープ上に一定の張力を付与するように通しアームの作動を制御する。
　別のテープ装填方法がテープカートリッジ構造において示されている。このテープ装填方法ではリーダブロックの代わりに、関連する磁気テープよりも幅が広い細長く堅い部材（リーダテープ）が用いられており、この細長く堅い部材はテープを通す目的のために磁気テープの端部に取り付けられている。この堅いリーダテープは、協働するヘッドの周りを経て巻取りリールに至る複雑なテープ通し経路をたどるスリット付きテープ通し軌道内に嵌合する。リーダテープがこの複雑なテープ通し経路の全体を縦走するにつれて、より幅の狭い磁気テープがこのテープ通し経路を通るように引っ張られかつ回転ヘッドの周りに物理的に巻付けられる。このテープ移送装置は、ヘリカル走査フォーマットで磁気テープに対してビデオ信号を読み書きするのに使用されたが、テープ通し経路が複雑であることや、長くて堅いリーダテープ部材を磁気テープの端部に取り付ける必要があり、テープカートリッジリールの巻戻し動作によってこのリーダテープ部材がテープ通し経路を通るように押されなければならないことなどの不都合があった。
　別のヘリカル走査データ記憶装置は、二つのリールを有するテープカセットから成る磁気テープ構成を使用する。一例ではこの二つのリールを有するカセットは、上下に同軸状にリールを配置し、二つのリール間でテープを移送するように二つのリール間のテープカセット内に角度をなすテープ経路を設けている。カセットの前面に窓が設けられ、斯くしてテープ通し機構が所定の長さのテープにアクセスしてテープカセット内からテープを引き出しかつそのテープをヘリカル走査テープ駆動機構の回転ヘッドの周りに巻付けることができるようにしている。テープカセットから引き出されたテープは巻取りリールおよび繰出しリールに対して角度をなす関係にある。テープ上にヘリカル走査フォーマットでデータの書き込みができるように、テープが回転ヘッドに当てられるときにこの角度をなす関係が維持されなければならない。回転ヘッドに対するテープの適切な角度関係を維持するために、この装置には複雑なテープ案内機構が設けられている。
　他のヘリカル走査装置は、ビデオカセット記録（ＶＣＲ）テープ駆動機構として実現されている。これは、回転ヘッドとヘリカル走査フォーマットのアナログビデオ記録方式とを利用するものである。このＶＣＲ機構では、同一平面上に並置された関係で二つのリールをテープカセット内に配置することによって、複雑なテープ通し装置の必要性が解消される。テープに角度を付ける代わりに、同一平面上のソースリールと巻取りリールとに対して回転ヘッドに角度をもたせる。このようにしてテープが、ソースリールと巻取りリールとに対して同一平面上で移送される関係に維持され、ヘッドが、テープの記録面に対して適切な角度をなす関係に位置せしめられる。
　３４８０型テープカートリッジは、データ処理業界の標準形式となっている。ヘリカル走査駆動機構は、データ記録密度が３４８０型媒体よりも大きいにもかかわらず、テープ形式が異なるためコンピュータデータ記憶環境には適用できない。これらのヘリカル走査テープ駆動機構は、主としてビデオカセット記録技術に使用されているものである。このように、テープカートリッジの縦形式データ記憶媒体とテープカセットのヘリカル走査形式データ記憶媒体とは、相反する必要条件を有する二つの別種の技術なのである。
解決法
　ヘリカル走査テープ駆動機構用のカートリッジテープ装置によって、前述の問題点が解決され、当業界における技術的進歩が達成された。互いに適合しないヘリカル走査テープ駆動機構とテープカートリッジ媒体要素との統合は、主に、テープ駆動機構で用いられるテープ経路と、この経路を経由して磁気テープを装填および取り外すために用いられる装置とによって成功している。螺旋状に走査されるヘッドに対してテープカートリッジ媒体がテープカセット媒体を模擬的に形成する（エミュレートする）ようにする新規なインターフェイスが開発された。結果として生成される『仮想テープカセット（ｖｉｒｔｕａｌ　ｔａｐｅ　ｃａｓｓｅｔｔｅ）』はテープカートリッジ媒体をテープ駆動機構に適合させる。
　仮想テープカセットは、協働するヘリカル走査駆動装置によって要求される磁気テープカセットの様式にほぼ適合する関係で磁気テープカートリッジに対して位置せしめられる巻取りリールを設けることによって実現される。テープカートリッジから磁気テープの端部を取り出しかつ磁気テープを短いテープ通し経路上を巻取りリールまで通すために、短いテープ通しアームが用いられる。テープ通しアームがテープの端部をしっかりと把持できるように、典型的にはリーダブロックが磁気テープの端部上に設けられる。ひとたびテープリーダブロックが巻取りリール内に挿入されると、ヘリカル走査テープ巻付け機構が、今やテープカートリッジと巻取りリール間に露出している所定の長さの磁気テープを回転ヘッドへ移送する。この回転ヘッドは、ヘリカル走査駆動機構によるテープカセット作動に適合するようにテープカートリッジ及び巻取りリールに対して所定の位置に配置されている。
　従って、このカートリッジテープ装置は２段階からなるプロセスに従って作動する。即ち、第１段階では、テープカートリッジから巻取りリールへ磁気テープを通して、仮想テープカセット像を生成し、第２段階では、仮想テープカセットからヘリカル走査テープ駆動機構の回転ヘッド上へ磁気テープを移送する。この２段階からなるプロセスを使用することによって、複雑なテープ通し経路の必要性が回避されると共に、３４８０型テープカートリッジに適合可能なコンピュータシステムがデータ記録密度のより高いヘリカル走査テープ駆動機構において使用されることができる。３４８０型テープカートリッジの機械的な形式因子のこの適合に加え、ヘリカル走査使用のために磁気的および機械的に最適化されてきた磁気テープが３４８０型テープカートリッジ内に装填されることができる。
図面の簡単な説明
　図１は、典型的な従来のテープカセットヘリカル走査駆動機構の全体構成を示すブロック図である。
　図２は、典型的な従来のテープカセットを示す斜視図である。
　図３は、本発明による仮想テープカセットにおけるテープカートリッジと巻取りリールの方向を示す斜視図である。
　図４は、独特な仮想テープカセットを備えたヘリカル走査テープ駆動機構を使用する本発明による装置の構成を示す図である。
　図５および図６は、従来のテープカートリッジテープ駆動機構を使用する本発明による装置の構成を示す図である。
詳細な説明
　図１は、従来の基本的なヘリカル走査テープカセット駆動機構１００の構成を示す。テープカセット１０１は、磁気テープ１１８用の移送機構としての一対の並置されたリール１１１，１１２を備えている。各リール１１１，１１２は関連するスピンドル１１５，１１６上に夫々回転可能に取り付けられ、各リール１１１，１１２は時計回り方向に回転して磁気テープ１１８を繰出しリール１１１から巻取りリール１１２へ移送する。テープカセット１０１は、繰出しリール１１１に隣接して位置する固定ガイド１１３と、巻取りリール１１２に隣接して位置するもう一つの固定ガイド１１４とを備えている。固定ガイド１１３と１１４は、磁気テープ１１８を位置づける際に磁気テープを案内するために使用される。破線で示される経路１１７は、テープカセット１０１がヘリカル走査テープ駆動機構１００内に設置されたときのテープカセット１０１内の磁気テープ１１８の配置を示す。固定ガイド１１３，１１４は経路１１７に沿って磁気テープ１１８を位置決めし、その結果磁気テープは、ヘリカル走査テープ駆動機構によってテープカセット１０１内から引き出されるようにアクセスされることができる。
　公知の態様では、テープカセット１０１がヘリカル走査テープ駆動機構内に装填されたときに一対の可動ガイド１３３，１３４が第１の位置へと作動され、この第１位置では、経路１１７上に配置された磁気テープ１１８が可動ガイド１３３，１３４と回転ヘッド１２１との間に位置する。可動ガイド１３３，１３４（または真空）が、経路１１７から磁気テープ１１８を引き出すように作動され、かつ図１に示されるように回転ヘッド１２１の周りに巻付くように磁気テープ１１８を移送するように作動される。回転ヘッド１２１はスピンドル１２４回りに回転可能となっており、回転ヘッド１２１は磁気テープ１１８上にデータを読み書きするための一対のヘッド１２２，１２３を備えている。図１に示されるような磁気テープ１１８の位置づけは、磁気テープ１１８がファイルリール１１１から、テープカセット１０１の固定ガイド１１３と、可動ガイド１３３と、回転ヘッド１２１と、可動ガイド１３４と、縦方向ヘッド１３５と、ヘリカル走査駆動機構のキャプスタン１３６とを経て、テープカセット１０１の固定ガイド１１４に至るように経路１３７を縦走する。テープがこの位置にあるとき、磁気テープ１１８に対してデータを読み書きできる。図１に示されるヘリカル走査テープ駆動機構１００は、同一平面上に並置された一対のリール１１１，１１２を内包するテープカセット１０１を使用する方式のものであり、このテープカセットでは磁気テープ１１８が経路１１７に沿ってリール１１１とリール１１２間を延びており、その結果ヘリカル走査駆動機構１００が、テープカセット１０１から磁気テープ１１８を引き出して図１に示されるように磁気テープ１１８を経路１３７に沿って位置させるようにすることができるようになっている。この構成が単一リールのテープカートリッジの使用とは相容れないことは明らかである。
　図２は、テープカセット１０１の斜視図であり、繰出しリール１１１と巻取りリール１１２とを固定ガイド１１３，１１４と共に示す。磁気テープ１１８は、図２からわかるように、繰出しリール１１１からテープカセット１０１の一つの縁部に沿って巻取りリール１１２へ延びている。テープカセット１０１は典型的には、磁気テープ１１８に隣接するアクセスドア（図示せず）を具備し、ヘリカル走査テープ駆動機構が、アクセスドアを開けてテープカセット１０１内に位置する磁気テープ１１８にアクセスできるようになっている。
仮想テープカセット
　図３は、テープカートリッジ３０２を使用して実現される典型的な仮想テープカセットの斜視図である。この構成においては、スピンドル３０４上に回転可能に取り付けられた単一の繰出しリール３０３を収容するテープカートリッジ３０２は、巻取りリール３０１とほぼ同一平面上に隣接して配置され、一種のテープカセットを模擬的に形成する。テープカートリッジ３０２は、その中に貯蔵された所定の長さの磁気テープ３０８を内包する。磁気テープ３０８の一端部にリーダブロック３１１が固着される。典型的なテープカートリッジ駆動機構は、このリーダブロックを使用して、所定の長さの磁気テープ３０８をテープカートリッジ３０２から引き出し、かつリーダブロック３１１を受容するように構成された巻取りリール３０１内のスリット３０９までテープ通し経路に沿って磁気テープ３０８を通す。巻取りリール３０１はスピンドル３１０上に回転可能に取り付けられる。テープカセット１０１に対して図２に示される様子と類似の様子で磁気テープ３０８を位置させるために、一対の固定ガイド３０５，３０６が図３に示される形態で設けられる。図３に示す仮想テープカセットは、図２に示すテープカセット１０１とほぼ同一の構成をもつ繰出しリール３０３と巻取りリール３０１とを提供する。テープカートリッジ３０２の位置決めはテープカートリッジ駆動機構で用いられる位置決めと適合し、従って本発明によるカートリッジ駆動機構に対するテープカートリッジ３０２の装填および取外しは、標準的なテープカートリッジ駆動機構で用いられる装填および取外しとほぼ同じである。わずかに異なるテープ通し機構を用いる二つのリール付きの同軸状のテープカセットにおいても、他の仮想テープカセットが同様に模擬的に形成され得ることは明白である。
ヘリカル走査駆動機構用テープカートリッジ操作機構
　図４は、ヘリカル走査テープ駆動機構と組合わせて使用するテープカートリッジ操作機構の構成を示す。図４に示すテープ駆動機構は、図１に示すものと同一である。仮想テープカセットは、スピンドル４０５上に回転可能に取り付けられたソースリール４０４を内包するカートリッジ４０１を使用して実現される。テープカートリッジ４０１は受容機構４００内に装填される。受容機構４００は、説明を単純化するために図４には図示していない複数の要素、即ち駆動モータやサーボ機構や排出機構などを具備する。巻取りリール４０２と、テープ通しアーム４０３のようなテープ通し機構とが、テープカートリッジ４０１を仮想テープカセットに変換するために設けられている。テープカートリッジ４０１は、受容部４００内に配置されたときに巻取りリール４０２とほぼ同一平面上で隣接した位置に位置する。更に、回転ヘッド４１６が典型的には、テープカートリッジ４０１および巻取りリール４０２とほぼ同一平面上でかつテープカートリッジ４０１および巻取りリール４０２に隣接した位置に位置する。磁気テープ４２５と回転ヘッド４１６間の接触を最適化するためには、巻取りリール４０２がテープカートリッジ４０１と同一平面上に位置しないように巻取りリール４０２を向けることが有利な場合がある。この形態では磁気テープ４２５は、テープカートリッジ４０１から回転ヘッド４１６へ、そして、巻取りリール４０２への角度をなす経路をたどる。
　図４に示す装置では、複数の固定ガイド４０８，４１１が設けられ、テープカセットで使用されるテープ経路を模擬的に形成するテープ経路４２３に沿って磁気テープ４２５を位置づける。作動において、テープ通しアーム４０３がスピンドル４１２に旋回可能に取り付けられ、このテープ通しアーム４０３は、矢印Ａで示される弧に沿って揺動することによって、テープカートリッジ４０１からリーダブロック４０７を把持して磁気テープ４２５を経路４２３に沿って巻取りリール４０２まで通すように作動し、巻取りリール４０２においてリーダブロック４０７がスリット４０６内に挿入される。テープ通しアーム４０３は、磁気テープ４２５がその経路を縦走するように固定ガイド４０８，４１１に沿って磁気テープ４２５を位置させる。
　テープ装填動作の第２段階は、回転ヘッド４１６に接触するように磁気テープを移送するテープ巻付けプロセスである。磁気テープ４２５が経路４２３に沿って位置することによって、テープ巻付け機構の一つ又は複数の可動ガイド４１５，４１９がその第１の位置（参照符号４０９，４１０によって表わされる）にあるときにテープ経路４２３が可動ガイド４１５，４１９と回転ヘッド４１６間にあるように可動ガイド４１５，４１９が配置されることが可能ならしめられ、その結果可動ガイド４１５，４１９が磁気テープ４２５をその背面で把持して磁気テープ４２５をテープ経路４２３から図４に示されるテープ経路４２４に移送することが可能ならしめられる。磁気テープ４２５は、図１に示すヘリカル走査テープ駆動機構に関して上述したように、一つ又は複数の可動ガイド４１５，４１９によって回転ヘッド４１６の周りに巻付けられる。磁気テープ４２５の背面に接触することによって、可動ガイド４１５，４１９は、磁気テープ４２５の記録面上に摩耗を生じさせることなく、磁気テープ４２５をテープ装填経路４２４内の所定の位置に案内する。
　このように、図４に示す機構は２段階からなるプロセスに従って動作する。第１段階では、ひとたびテープカートリッジ４０１が受容部４００内に挿入されるとテープ通しアーム４０３がリーダブロック４０７を把持し、磁気テープ４２５をテープ経路４２３に沿って巻取りリール４０２まで通す。ひとたびこの第一の動作が完了すると、次いでヘリカル走査テープ駆動機構は経路４２３から経路４２４へ磁気テープ４２５を移送することができ、経路４２４において磁気テープは回転ヘッド４１６の周りに螺旋状に巻付けられる。
従来のテープカートリッジ機構
　図５および図６は、従来のテープカートリッジ機構を使用するヘリカル走査テープ駆動機構用テープカートリッジ装置の実施例を示す。この機構は、テープカートリッジ４０１を受容するテープカートリッジ受容部４００を具備する。巻取りリール４０２は、テープカートリッジ４０１に隣接して位置し、かつリーダブロック用スリット４０６を備えている。テープ通しアーム４０３は、磁気テープ４２５上のリーダブロック４０７を把持しかつ磁気テープ４２５をテープ通し経路４２３に沿って通してリーダブロックを巻取りリール４０２のスリット４０６内に挿入するようにするために設けられ、テープ通し経路４２３は固定ガイド４０８，４１１を具備する。ひとたび磁気テープ４２５がテープ通し経路４２３に沿って位置せしめられると、ヘリカル走査機構の可動ガイド４１５，４１９の形式をとるテープ巻付け機構は、磁気テープ４２５を回転ヘッド４１６上に適切に位置させるようにガイド経路５０１，５０２に沿って移動可能である。この機構では、読み取り／書き込みヘッドユニットを除去し、代わりにヘリカル走査テープ装填機構を配置することによって、標準的なテープカートリッジ駆動機構が改造された。更に、複雑なテープ通し経路が要求されないので、テープ通し経路が顕著に単純化された。実際、この機構を用いる場合に上述の２段階からなるプロセスを変更すれば、ひとたびテープ通しアーム４０３がテープ装填経路４２３を縦走して固定ガイド４２２を通り越して位置したときに、ヘリカル走査装填機構がテープ装填経路４２３から回転ヘッド４１６へ磁気テープ４２５を移送し始めることができるようにすることができる。ひとたびテープ装填経路４２３のこの部分がテープ通しアーム４０３によって縦走されると、磁気テープ４２５は回転ヘッド４１６上への装填のために適切に位置せしめられる。ヘリカル走査テープ装填機構の動作によって付加的な張力が磁気テープ４２５上に付与される。しかしながらこれは、テープ通しアーム４０３上のサーボ機構によって容易に補償され、その結果テープ通し動作の完了と回転ヘッド４１６への磁気テープ４２５の移送とが同時に行われる。
　図５に示す構成の別の例は、図６に示すような流体圧式テープ巻付け装置を使用するものである。テープ通し経路は、図５に示すのと同様であるが、空気のような加圧流体源を具備する。ひとたびテープ通し動作が完了すると、この加圧流体源が磁気テープ４２５を回転ヘッド４１６に接触せしめる。
　上述の両方の実施例では、テープ駆動機構内に配置される標準的な機構の多くが、説明を単純にするために図示されていないが、これらは当業界では公知のものである。本発明による仮想テープカセットはテープカートリッジを、ヘリカル走査テープ駆動機構の作動に必要な形式に変換する。この変換は、この目的に適合するように改造された標準的なテープカートリッジ駆動機構を用いて実現されることができる。或いはこの変換は、独特でかつ単純な駆動機構を用いて実現されることができる。何れの場合も、テープカセット用ヘリカル走査テープ駆動機構が仮想カセットインターフェイスを介してコンピュータデータ用標準テープカートリッジと併合され、その結果ヘリカル走査駆動機構のもつデータ密度の利益と、現在のテープカートリッジ機構の形式の標準化とを与える磁気テープ駆動機構が提供される。
　これまで本発明の特定の実施例を開示してきたが、添付の請求の範囲内に入る本発明の別の実施例を当業者が設計できるであろうと予想される。
（５７）【特許請求の範囲】
　１．着脱可能なテープカートリッジ（４０１）上に供給された磁気記録テープ（４２４）上にデータを読み書きするためのヘリカル走査テープ駆動装置であって、該テープカートリッジは該テープカートリッジ（４０１）内に回転可能に取り付けられた単一のリール（４０４）を内包し、かつ該テープカートリッジは該テープカートリッジ（４０１）から該磁気記録テープ（４２４）の一端部を引き出すのに用いるために該一端部に固着されたリーダブロック（３１１）を有し、
　テープカートリッジを受容するための手段（４００）と、
　該テープカートリッジ（４０１）内に内包された該磁気記録テープ（４２４）の該一端部を受容するために該テープ駆動装置内に永久的に取り付けられた巻取りリール手段（４０２）と、
　ヘリカル走査形式で磁気記録テープ（４２４）上にデータを読み書きするための回転ヘッド手段（４１６）と、
　該リーダブロック（３１１）を把持して該磁気記録テープ（４２４）を予め定められた経路（４２３）に沿って該テープカートリッジ（４０１）から該巻取りリール手段（４０２）まで
通し、該磁気記録テープ（４２４）の真直ぐの部分が該回転ヘッド手段（４１６）に対面しかつ該回転ヘッド手段（４１６）から離間されるようにする
　該回転ヘッド手段（４１６）の回りに螺旋状に巻付くように前記
磁気テープ（４２４）の前記真直ぐの部分
　を具備する、ヘリカル走査テープ駆動装置。
　２．更に、
　該磁気テープが該予め定められた経路（４２３）に沿って通されるときに該磁気テープ（４２４）を予め定められた位置に支持するために該受容手段（４００）に隣接して配置された第１の固定ガイド手段（４０８）と、
　該磁気テープが該予め定められた経路（４２３）に沿って通されるときに該磁気テープ（４２４）を予め定められた位置に支持するために該巻取りリール手段（４０２）に隣接して配置された第２の固定ガイド手段（４１１）と
　を具備する、請求項１に記載の装置。
　３．前記テープ巻付け手段（４１５，４１９）は、第１の位置と第２の位置との間で移動可能な少くとも一つの可動ガイド手段（４１５，４１９）を具備し、該第１位置では該予め定められた経路（４２３）が該可動ガイド手段（４１５，４１９）と該回転ヘッド手段（４１６）間に位置し、該第２位置では該磁気テープ（４２４）が該回転ヘッド手段（４１６）の回りに螺旋状に巻付けられる、請求項２に記載の装置。
　４．前記テープ巻付け手段（４１５，４１９）は更に、前記テープ通し手段（４０３）が該磁気記録テープ（４２４）を該予め定められた経路（４２３）に沿って該テープカートリッジ（４０１）から該第２固定ガイド手段（４１１）を越えた位置まで通すのに応答して前記可動ガイド手段（４１５，４１９）を該第１位置から該第２位置に移動するように作動させるための手段（５０１，５０２）を具備する、請求項３に記載の装置。
　５．前記テープ巻付け手段（４１５，４１９）は更に、前記テープ通し手段（４０３）が該磁気記録テープ（４２４）を該予め定められた経路（４２３）に沿って該テープカートリッジ（４０１）から該巻取りリール手段（４０２）まで通すのに応答して前記可動ガイド手段（４１５，４１９）を該第１位置から該第２位置に移動するように作動させるための手段を具備する、請求項３に記載の装置。
　６．前記受容手段（４００）、前記巻取りリール手段（４０２）、および前記テープ通し手段（４０３）はすべて、標準的なテープカートリッジ駆動部を具備する、請求項１に記載の装置。
　７．前記回転ヘッド手段（４１６）および前記テープ巻付け手段（４１５，４１９）は標準的なテープカセット駆動部を具備する、請求項１に記載の装置。
　８．該巻取りリール手段（４０２）が該受容手段（４００）とほぼ同一平面上に並置されると共に、該回転ヘッド手段（４１６）が該受容手段（４００）とほぼ同一平面上に並置される、請求項１に記載の装置。
　９．着脱可能なテープカートリッジ（４０１）上に供給された磁気記録テープ（４２４）上にデータを読み書きするためのヘリカル走査テープ駆動装置であって、該テープカートリッジは該テープカートリッジ（４０１）内に回転可能に取り付けられた単一のリール（４０４）を内包し、かつ該テープカートリッジは該テープカートリッジ（４０１）から該磁気記録テープ（４２４）の一端部を引き出すのに用いるために該一端部に固着されたリーダブロック（３１１）を有し、該テープ駆動装置は、該テープカートリッジ（４０１）内に内包された該磁気記録テープ（４２４）の該一端部を受容するために該テープ駆動装置内に永久的に取り付けられた巻取りリールと、ヘリカル走査形式で磁気記録テープ（４２４）上にデータを読み書きするための回転ヘッド（４１６）とを有する、ヘリカル走査テープ駆動装置において、該磁気記録テープ（４２４）を該テープカートリッジ（４０１）から該回転ヘッド（４１６）上に通す方法であって、
　該磁気記録テープ（４２４）を予め定められた経路（４２３）に沿って該テープカートリッジ（４０１）から該巻取りリール（４０２）まで
通し、該磁気記録テープ（４２４）の真直ぐの部分が該回転ヘッド（４１６）に対面しかつ該回転ヘッド（４１６）から離間されるようにする
　該回転ヘッド（４１６）の回り螺旋状に巻付くように前記
磁気テープ（４２４）の前記真直ぐの部分
　を含む、磁気記録テープをテープカートリッジから回転ヘッド上に通す方法。
　１０．前記テープ駆動装置は、該磁気テープが該予め定められた経路（４２３）に沿って通されるときに該磁気テープ（４２４）を予め定められた位置に支持するために該テープカートリッジ（４０１）に隣接して配置された第１の固定ガイド（４０８）と、該磁気テープが該予め定められた経路（４２３）に沿って通されるときに該磁気テープ（４２４）を予め定められた位置に支持するために該巻取りリール（４０２）に隣接して配置された第２の固定ガイド（４１１）とを有し、前記通す段階は、該磁気テープ（４２４）を該テープカートリッジ（４０１）から該第１固定ガイド（４０８）を横切り、かつ該第２固定ガイド（４１１）を横切り該巻取りリール（４０２）まで移送する段階を有する、請求項９に記載の方法。
　１１．前記
移動させる
　１２．前記移動させる段階は、該磁気記録テープ（４２４）が該予め定められた経路（４２３）に沿って該テープカートリッジ（４０１）から該第２固定ガイド（４１１）を越えた位置まで通されたときに開始される、請求項１１に記載の方法。
　１３．前記移動させる段階は、該磁気記録テープ（４２４）が該予め定められた経路（４２３）に沿って該テープカートリッジ（４０１）から該巻取りリール（４０２）まで通されたときに開始される、請求項１１に記載の方法。
　１４．前記テープ駆動装置は、該磁気テープが該予め定められた経路（４２３）に沿って通されるときに該磁気テープ（４２４）を予め定められた位置に支持するために該テープカートリッジ（４０１）に隣接して配置された第１の固定ガイド（４０８）と、該磁気テープが該予め定めらされた経路（４２３）に沿って通されるときに該磁気テープ（４２４）を予め定められた位置に支持するために該巻取りリール（４０２）に隣接して配置された第２の固定ガイド（４１１）とを有し、前記移動させる段階は、少くとも一つの可動ガイド（４１５，４１９）を、該予め定められた経路（４２３）が該可動ガイド（４１５，４１９）と該回転ヘッド（４１６）間に位置する第１の位置から、該磁気テープ（４２４）が該回転ヘッド（４１６）の回りに螺旋状に巻付けられる第２の位置に移動させる段階を有する、請求項９に記載の方法。
　１５．前記移動させる段階は、該磁気記録テープ（４２４）が該予め定められた経路（４２３）に沿って該テープカートリッジ（４０１）から該第２固定ガイド（４１１）を越えた位置まで通されたときに開始される、請求項１４に記載の方法。
　１６．前記移動させる段階は、該磁気記録テープ（４２４）が該予め定められた経路（４２３）に沿って該テープカートリッジ（４０１）から該巻取りリール（４０２）まで通されたときに開始される、請求項１４に記載の方法。
　１７．前記通す段階は、
　該磁気テープ（４２４）上の該リーダブロック（３１１）を把持する段階と、
　該テープ通し経路（４２３）に沿って該リーダブロック（３１１）を移送する段階と、
　該リーダブロック（３１１）を該巻取りリール（４０２）内に挿入する段階と
　を有する、請求項９に記載の方法。
　１８．該巻取りリールが該テープカートリッジ（４０１）とほぼ同一平面上に並置されると共に、該回転ヘッド（４１６）が該巻取りリール（４０２）とほぼ同一平面上に並置される、請求項９に記載の方法。